(57)【要約】【課題】カーテンなど、あらかじめ室内に懸架されている布をスクリーンとして使用することを可能とする投影面形成補助具及び当該投影面形成補助具を備えたスクリーンを提供すること。【解決手段】投影面形成補助具５０は、互いに屈曲可能に接続された２つの棒状部材Ａを有する第１水平支持部材５３Ａと、互いに屈曲可能に接続された２つの棒状部材Ｂを有する第２水平支持部材５３Ｂと、第１水平支持部材５３Ａ及び第２水平支持部材５３Ｂに屈曲可能に接続された第１鉛直支持部材５１Ｌ、第２鉛直支持部材５１Ｒと、カーテン３６を固定する固定部材５６とを備えている。２つの棒状部材Ａ及び棒状部材Ｂを直線状に伸ばすことにより、カーテン３６を弛みなく張ることができ、カーテン３６に投影面を形成することができる。【選択図】図１
2008185760.tif 000002
【特許請求の範囲】
【請求項１】
鉛直に懸架された布に取り付けて前記布に投影面を形成するための投影面形成補助具であって、
互いに屈曲可能に接続された２つの棒状部材Ａを有する第１水平支持部材と、
互いに屈曲可能に接続された２つの棒状部材Ｂを有する第２水平支持部材と、
両端が、前記第１水平支持部材の一端及び前記第２水平支持部材の一端と屈曲可能に接続された棒状の第１鉛直支持部材と、
両端が、前記第１水平支持部材の他端及び前記第２水平支持部材の他端と屈曲可能に接続された棒状の第２鉛直支持部材と、
前記第１水平支持部材の両端及び前記第２水平支持部材の両端に配置された、前記布を固定する固定部材と、
を備えることを特徴とする投影面形成補助具。
【請求項２】
請求項１に記載の投影面形成補助具であって、
前記棒状部材Ａ及び前記棒状部材Ｂは、軸方向に弾性力を及ぼす弾性部材を有していることを特徴とする投影面形成補助具。
【請求項３】
請求項２に記載の投影面形成補助具であって、
前記第１鉛直支持部材及び前記第２鉛直支持部材は、軸方向に弾性力を及ぼす弾性部材を有していることを特徴とする投影面形成補助具。
【請求項４】
鉛直に懸架された布と、
前記布に固定された、請求項１から３のいずれか一項に記載の投影面形成補助具と、
を有するスクリーンであって、
前記第１鉛直支持部材及び前記第２鉛直支持部材は、軸が鉛直となるように前記布に前記固定部材によって固定され、
前記第１水平支持部材は、２つの前記棒状部材Ａを直線状に伸ばしたときに前記布を水平方向に弛みなく伸張させるように前記布に前記固定部材によって固定され、
前記第２水平支持部材は、２つの前記棒状部材Ｂを直線状に伸ばしたときに前記布を水平方向に弛みなく伸張させるように前記布に前記固定部材によって固定されていることを特徴とするスクリーン。
【発明の詳細な説明】
【技術分野】
【０００１】
本発明は、布に映像の投影面を形成するための投影面形成補助具及び当該投影面形成補助具を備えたスクリーンに関する。
【背景技術】
【０００２】
近年、一般家庭においてもプロジェクタが映像観賞のために使用される機会が増えてきている。その際のプロジェクタの設置方法としては、例えば天井に設けられた照明用配線器具（例えばシーリングコンセント）にプロジェクタを取り付け、プロジェクタから投射された映像を壁などに懸架されたスクリーンに投影する方法がある（特許文献１参照）。
【０００３】
【特許文献１】特開２００４−７８１５０号公報
【発明の開示】
【発明が解決しようとする課題】
【０００４】
しかしながら、投影のためにこうしたスクリーンを準備するためにはコストや手間がかかり、また不使用時にスクリーンを収納するスペースが必要になるという問題点がある。このため、カーテンなど、あらかじめ室内に懸架されている布をスクリーンとして使用したいという要請がある。
【０００５】
本発明は、以上の問題点に鑑みてなされたものであり、本発明の奏する効果の一つにより、カーテンなど、あらかじめ室内に懸架されている布をスクリーンとして使用することが可能となる。
【課題を解決するための手段】
【０００６】
本発明の投影面形成補助具は、鉛直に懸架された布に取り付けて前記布に投影面を形成するための投影面形成補助具であって、互いに屈曲可能に接続された２つの棒状部材Ａを有する第１水平支持部材と、互いに屈曲可能に接続された２つの棒状部材Ｂを有する第２水平支持部材と、両端が、前記第１水平支持部材の一端及び前記第２水平支持部材の一端と屈曲可能に接続された棒状の第１鉛直支持部材と、両端が、前記第１水平支持部材の他端及び前記第２水平支持部材の他端と屈曲可能に接続された棒状の第２鉛直支持部材と、前記第１水平支持部材の両端及び前記第２水平支持部材の両端に配置された、前記布を固定する固定部材と、を備えることを特徴とする。
【０００７】
このような構成の投影面形成補助具を鉛直に懸架された布に固定すると、第１鉛直支持部材及び第２鉛直支持部材によって、布を鉛直方向に弛みなく伸張させることができるとともに、第１水平支持部材及び第２水平支持部材によって、布を水平方向に弛みなく伸張させることができる。布への固定の際には、好ましくは、第１鉛直支持部材及び第２鉛直支持部材は、軸が鉛直となるように、かつ布を鉛直方向に弛みなく伸張させた状態で布に固定部材によって固定する。また、第１水平支持部材及び第２水平支持部材は、２つの棒状部材Ａ又は２つの棒状部材Ｂを直線状に伸ばして配置したときに布を水平方向に弛みなく伸張させるような位置で布に固定部材によって固定する。このようにすれば、２つの棒状部材Ａ及び２つの棒状部材Ｂを直線状に伸ばすことによって、布のうち、第１水平支持部材、第２水平支持部材、第１鉛直支持部材、第２鉛直支持部材によって囲まれた領域を弛みなく張ることができ、当該領域を映像の投影面として用いることができる。ひいては、上記布をスクリーンとして使用することができる。また、２つの棒状部材Ａ及び２つの棒状部材Ｂを互いに屈曲させることによって、布を水平方向にたたんで収納することができる。
【０００８】
上記投影面形成補助具において、前記棒状部材Ａ及び前記棒状部材Ｂは、軸方向に弾性力を及ぼす弾性部材を有していてもよい。このような構成によれば、２つの棒状部材Ａ又は２つの棒状部材Ｂを直線状に配置したときに弾性部材の弾性力（復元力）によって布を水平方向に弛みなく伸張させることができる。
【０００９】
上記投影面形成補助具において、前記第１鉛直支持部材及び前記第２鉛直支持部材は、軸方向に弾性力を及ぼす弾性部材を有していてもよい。このような構成によれば、第１鉛直支持部材及び第２鉛直支持部材は、弾性部材の弾性力（復元力）によって布を鉛直方向に弛みなく伸張させることができる。
【００１０】
本発明のスクリーンは、鉛直に懸架された布と、前記布に固定された、上記記載の投影面形成補助具と、を有するスクリーンであって、前記第１鉛直支持部材及び前記第２鉛直支持部材は、軸が鉛直となるように前記布に前記固定部材によって固定され、前記第１水平支持部材は、２つの前記棒状部材Ａを直線状に伸ばしたときに前記布を水平方向に弛みなく伸張させるように前記布に前記固定部材によって固定され、前記第２水平支持部材は、２つの前記棒状部材Ｂを直線状に伸ばしたときに前記布を水平方向に弛みなく伸張させるように前記布に前記固定部材によって固定されていることを特徴とする。
【００１１】
このような構成によれば、２つの棒状部材Ａ及び２つの棒状部材Ｂを直線状に伸ばして配置することによって、布のうち、第１水平支持部材、第２水平支持部材、第１鉛直支持部材、第２鉛直支持部材によって囲まれた領域を弛みなく張ることができ、当該領域を映像の投影面とすることができる。また、２つの棒状部材Ａ及び２つの棒状部材Ｂを互いに屈曲させることによって、スクリーンを水平方向にたたんで収納することができる。
【発明を実施するための最良の形態】
【００１２】
以下、図面を参照し、本発明の実施形態について説明する。なお、以下に示す各図においては、各構成要素を図面上で認識され得る程度の大きさとするため、各構成要素の寸法や比率を実際のものとは適宜に異ならせてある。
【００１３】
（Ａ．投影面形成補助具）
図１は、本発明の実施形態に係る投影面形成補助具５０をカーテン３６に取り付けた状態の模式図である。この図は、カーテン３６を裏から（室外から）見た図であり、カーテン３６を表から（室内から）見た場合には、投影面形成補助具５０は視認されない。投影面形成補助具５０が取り付けられたカーテン３６は、カーテンレール３５から鉛直に懸架されている。図１は、カーテン３６が開けられた状態を示している。
【００１４】
なお、本実施形態において、投影面形成補助具５０が取り付けられたカーテン３６は、本発明におけるスクリーンに対応する。また、カーテン３６は、本発明における布に対応する。
【００１５】
投影面形成補助具５０は、第１水平支持部材５３Ａ、第２水平支持部材５３Ｂ、第１鉛直支持部材５１Ｌ、第２鉛直支持部材５１Ｒを備えている。第１水平支持部材５３Ａは、２つの略同一形状の棒状部材Ａを有している。この２つの棒状部材Ａは、可動部５７を介して互いに下に凸に屈曲可能に接続されている。同様に、第２水平支持部材５３Ｂは、２つの略同一形状の棒状部材Ｂを有している。この２つの棒状部材Ｂは、可動部５７において互いに上に凸に屈曲可能に接続されている。第１水平支持部材５３Ａ、第２水平支持部材５３Ｂの両端には、固定部材５６が配置されており、第１水平支持部材５３Ａ及び第２水平支持部材５３Ｂは、固定部材５６によってカーテン３６に固定されている。固定部材５６をカーテン３６に取り付ける方法としては、接着剤によって固定する方法や、糸等で縫い付ける方法、あるいはフック等を用いて着脱可能に取り付ける方法等、種々の方法をとることができる。
【００１６】
ここで、第１水平支持部材５３Ａの両端の固定部材５６は、等しい高さにおいてカーテン３６に固定されている。同様に、第２水平支持部材５３Ｂの両端の固定部材５６も、等しい高さにおいてカーテン３６に固定されている。このため、２つの棒状部材Ａ、又は２つの棒状部材Ｂを直線状に伸ばしたときには、棒状部材Ａ、棒状部材Ｂ（すなわち第１水平支持部材５３Ａ、第２水平支持部材５３Ｂ）が水平となるようになっている。なお、第２水平支持部材５３Ｂは、第１水平支持部材５３Ａより低い位置で固定されている。
【００１７】
また、棒状部材Ａ、棒状部材Ｂは、これらの部材の軸方向に弾性力を及ぼす弾性部材５４を有している。このため、棒状部材Ａ、棒状部材Ｂは、その長さを短縮させる方向に変形された場合には、弾性部材５４から、長さを増大させる方向の復元力を受ける。図１の状態においては、棒状部材Ａ、棒状部材Ｂは変形を受けていないため、弾性部材５４による復元力も働いていない。本実施形態では、弾性部材５４にはバネ部材が用いられているが、空気圧を利用したエアシリンダや磁気の反発力を利用したもの等、種々の部材を用いることができる。
【００１８】
第１鉛直支持部材５１Ｌは、第１水平支持部材５３Ａの左端及び第２水平支持部材５３Ｂの左端に接続された棒状の部材である。また、第２鉛直支持部材５１Ｒは、第１水平支持部材５３Ａの右端及び第２水平支持部材５３Ｂの右端に接続された棒状の部材である。これらの接続部位は、回動可能な可動部５５を介した接続となっており、第１鉛直支持部材５１Ｌ及び第２鉛直支持部材５１Ｒは、第１水平支持部材５３Ａ及び第２水平支持部材５３Ｂに対して屈曲可能に接続されている。また、第１鉛直支持部材５１Ｌ及び第２鉛直支持部材５１Ｒは、その軸が鉛直となるようにカーテン３６に対して固定部材５６によって固定されている。
【００１９】
また、第１鉛直支持部材５１Ｌ、第２鉛直支持部材５１Ｒは、これらの部材の軸方向に弾性力を及ぼす弾性部材５２を有している。このため、第１鉛直支持部材５１Ｌ及び第２鉛直支持部材５１Ｒは、その長さを短縮させる方向に変形された場合には、弾性部材５２から、長さを増大させる方向の復元力を受ける。本実施形態では、第１鉛直支持部材５１Ｌ、第２鉛直支持部材５１Ｒは、長さを短縮させる方向の変形を受けた状態でカーテン３６に固定されているため、常に弾性部材５２による復元力を受けて、その長さを増大させる方向の力がかかっている。そして、この力がカーテン３６に伝わるため、カーテン３６は、第１鉛直支持部材５１Ｌ及び第２鉛直支持部材５１Ｒが取り付けられた位置においては、鉛直方向に弛みなく伸張された状態となっている。すなわち、弾性部材５２の復元力とカーテン３６の張力とが釣り合う状態となっている。弾性部材５２は、弾性部材５４と同様、バネ部材等により構成することができる。
【００２０】
上述の第１水平支持部材５３Ａの棒状部材Ａ、第２水平支持部材５３Ｂの棒状部材Ｂ、第１鉛直支持部材５１Ｌ、第２鉛直支持部材５１Ｒとしては、例えば金属やプラスチックのパイプ状部材を用いることができる。これらの部材は、十分な強度が得られる範囲において軽量であることが望ましい。
【００２１】
続いて、図２を用いて、投影面形成補助具５０が取り付けられたスクリーンとしてのカーテン３６において投影面を形成する方法について説明する。図２は、カーテン３６が閉められて、カーテン３６による投影面３１が形成された状態を示す図である。
【００２２】
まず、図１の状態からカーテン３６を閉めると同時に、第１水平支持部材５３Ａの２つの棒状部材Ａと、第２水平支持部材５３Ｂの２つの棒状部材Ｂとを、直線状かつ水平な状態に変位させる。この変位は、可動部５７を中心に棒状部材Ａ及び棒状部材Ｂを回動させることによって行う。この結果、第１水平支持部材５３Ａ、第２水平支持部材５３Ｂは、図２に示すような一本の直線状の部材となる。
【００２３】
図２における第１水平支持部材５３Ａ、第２水平支持部材５３Ｂの長さは、２つの棒状部材Ａ、棒状部材Ｂを水平方向に単に繋げた長さより若干短くなるように設定されている。したがって、図２における棒状部材Ａ及び棒状部材Ｂは、長さを短縮する方向の変位を受けた状態となっており、この結果弾性部材５４に生じる復元力と、カーテン３６の張力とが釣り合う状態となっている。よって、カーテン３６は、当該復元力と釣り合う張力を有して、水平方向に弛みなく伸張された状態となっている。このようにして、第１水平支持部材５３Ａ、第２水平支持部材５３Ｂは、カーテン３６を水平方向に弛みなく伸張させる。なお、第１鉛直支持部材５１Ｌ、第２鉛直支持部材５１Ｒは、上述したようにカーテン３６を鉛直方向に弛みなく伸張させている。
【００２４】
したがって、第１水平支持部材５３Ａ、第２水平支持部材５３Ｂ、第１鉛直支持部材５１Ｌ、第２鉛直支持部材５１Ｒによって囲まれた矩形の領域の内部においては、カーテン３６が弛みなく張られることとなる。当該領域は、表面に凹凸がないため、映像の投影面３１として好適に使用することができる。これにより、カーテン３６を、投影面３１を有するスクリーンとして用いることができる。投影面形成補助具５０が取り付けられたスクリーンとしてのカーテン３６を収納する場合には、２つの棒状部材Ａ及び２つの棒状部材Ｂを屈曲させて、図１のようにカーテン３６を開ければよい。
【００２５】
上述したように、図２はカーテン３６を裏から（室外から）観察したときの図である。カーテン３６を表から（室内から）観察した場合には、投影面形成補助具５０は視認されず、カーテン３６に、弛みなく張られた矩形の投影面３１が形成されたことのみが視認される。室内側からこの投影面３１に映像を投影することで、高品位な映像を鑑賞することができる。映像の視認性をより高めるために、カーテン３６の布地としては、白色のものを用いるのが好ましい。
【００２６】
このようにカーテン３６をスクリーンとすれば、映像の投影のために別途スクリーンを購入し準備するコストや手間が不要となり、またスクリーンを収納するスペースも不要となる。
【００２７】
（Ｂ．スクリーンの使用例）
続いて、上述のカーテン３６を用いたスクリーンの使用例について説明する。図３は、投影システムとしての部屋１の断面図である。部屋１の天井２には、照明用配線器具２０が設けられており、当該照明用配線器具２０には、種々の映像を投射可能なプロジェクタ１０が取り付けられている。プロジェクタ１０は、筐体１１と、筐体１１の上面に設けられたコネクタ１４と、筐体１１の下面の全面に配置された照明装置１２と、投射する映像のデータをワイヤレスで受信する受信装置４１とを有している。
【００２８】
部屋１のうち、天井２に垂直な壁面３には、カーテンレール３５が取り付けられている。カーテンレール３５には、カーテン３６が懸架されているとともに、当該カーテン３６の裏側（室外側）に投影面形成補助具５０が取り付けられている。カーテン３６には、投影面形成補助具５０の上述の機能によって投影面３１が形成されており、当該投影面３１に、プロジェクタ１０から投射された映像が投影される。
【００２９】
部屋１の床面４には、プロジェクタ１０の受信装置４１に対して映像データをワイヤレスで送信可能な送信装置４０が設置されている。送信装置４０は、例えば映画が収録されたビデオテープ、ビデオディスク等を再生する再生装置やパーソナルコンピュータ等に接続され、これらの装置から入力された映像データの信号をワイヤレス発信部（図示せず）から受信装置４１に対して発信する。
【００３０】
ここで、図４を用いて、天井２に取り付けられた照明用配線器具２０及びプロジェクタ１０の構成について説明する。図４は、プロジェクタ１０と照明用配線器具２０との接続の様子を示す斜視図である。
【００３１】
照明用配線器具２０は、一般に住宅の天井に照明器具等を吊下げた状態で支持するために備え付けられた器具であり、シーリングコンセント、引掛シーリング又は引掛ローゼットなどとも呼ばれる。照明用配線器具２０には、後述の端子１５を差し込むための一対の端子穴２１が形成されている。
【００３２】
一方、プロジェクタ１０は、箱型の筐体１１の上面に、照明用配線器具２０に取り付け可能なコネクタ１４を有している。また、筐体１１の側面には投射レンズ１３が備え付けられており、筐体１１の下面の全体には照明装置１２が配置されている。
【００３３】
このうちコネクタ１４は、上部に突き出した端子１５を有しており、当該端子１５を照明用配線器具２０の端子穴２１に差し込んで引掛けることによって照明用配線器具２０に取り付けることができる。このようなコネクタ１４及び照明用配線器具２０の接続機構は、プロジェクタ１０の全体を吊下げた状態で支持可能な強度を有している。
【００３４】
このような構成によれば、プロジェクタ１０を天井２に常設しておくことができる。これにより、プロジェクタ１０を使用する際のプロジェクタ１０の移動及び配線作業や、使用終了時の片付けが不要となり、さらには不使用時の収納スペースも不要となる。また、照明用配線器具２０から電源の供給を受けることが可能なため、新たな電源配線の工事を必要とせず、簡便に取り付けを行うことができる。
【００３５】
プロジェクタ１０の筐体１１の下面に配置された照明装置１２は、例えば多数のＬＥＤ（Light Emitting Diode）光源を有する構成とすることができる。各ＬＥＤ光源を一斉に発光させることにより、照明装置１２は、全体として均一な輝度の面発光を行うことができる。
【００３６】
このような照明装置１２を有するプロジェクタ１０は、天井２に取り付けられた照明器具としても機能する。すなわち、プロジェクタ１０を天井２に設置すれば、別途照明器具を用いることなく、室内の照明を行うことができる。
【００３７】
以上のようにして天井２に取り付けられたプロジェクタ１０は、図３に示すように、部屋１においてカーテン３６の投影面３１に映像を投影させることができる。すなわち、送信装置４０から受信装置４１へ送られた映像データに基づく映像を、筐体１１の側面に配置された投射レンズ１３から投射することにより、カーテン３６の投影面３１に拡大して投影することができる。このとき、プロジェクタ１０の照明装置１２を消灯させておくことが好ましい。そうすることにより、部屋１を暗くすることができ、投影された映像をより鮮明に視認することができる。照明装置１２の点灯／消灯の切り替えは、送信装置４０からの信号により制御することができる。
【００３８】
以上のような構成の部屋１においては、カーテン３６に投影面３１を形成してプロジェクタ１０の投射動作を開始するだけで容易に映像を鑑賞することができる。すなわち、あらかじめプロジェクタ１０が天井２の照明用配線器具２０に取り付けられていることから、プロジェクタ１０の設置作業や配線作業が不要であり、かつカーテン３６をスクリーンとして用いることで、別途スクリーンを準備する手間も不要であるので、僅かな作業により映像の鑑賞を開始することができる。
【００３９】
以上、本発明の実施形態について説明したが、上記実施形態に対しては、本発明の趣旨から逸脱しない範囲で様々な変形を加えることができる。変形例としては、例えば以下のようなものが考えられる。
【００４０】
（変形例１）
投影面形成補助具５０は、上記実施形態の構成のものを水平方向に２つ繋げた構成とすることもできる。図５は、こうした本実施形態に係る投影面形成補助具５０をカーテン３６に取り付けた状態の模式図であり、図６は、カーテン３６が閉められて、カーテン３６による投影面３１が形成された状態を示す図である。図５及び図６においては、図１及び図２と同一の構成要素には同一の符号が付されており、これらの構成要素の材質及び機能等は上記実施形態と同様である。このような本変形例の投影面形成補助具５０によれば、カーテン３６により大きな投影面３１を形成することができる。
【００４１】
また、投影面形成補助具５０は、必要に応じて上記実施形態の構成のものを水平方向又は鉛直方向にさらに複数繋げた構成としてもよい。このようにすることで、大型の布であっても、当該布を弛みなく張ってスクリーンとして用いることができるようになる。
【００４２】
（変形例２）
上記実施形態では、本発明における布としてカーテン３６を用いているが、これに限定する趣旨ではない。投影面形成補助具は、カーテン３６の他にも、横断幕やステージ幕、舞台幕等、種々の布に取り付けて用いることができる。これにより、これらの布をスクリーンとして使用することができる。
【図面の簡単な説明】
【００４３】
【図１】本発明の実施形態に係る投影面形成補助具をカーテンに取り付けた状態の模式図。
【図２】カーテンが閉められて、カーテンによる投影面が形成された状態を示す図。
【図３】投影システムとしての部屋の断面図。
【図４】プロジェクタと照明用配線器具との接続の様子を示す斜視図。
【図５】本発明の変形例に係る投影面形成補助具をカーテンに取り付けた状態の模式図。
【図６】カーテンが閉められて、カーテンによる投影面が形成された状態を示す図。
【符号の説明】
【００４４】
１…部屋、２…天井、３…壁面、４…床面、１０…プロジェクタ、２０…照明用配線器具、３１…投影面、３５…カーテンレール、３６…布としてのカーテン、５０…投影面形成補助具、５１Ｌ…第１鉛直支持部材、５１Ｒ…第２鉛直支持部材、５２，５４…弾性部材、５３Ａ…第１水平支持部材、５３Ｂ…第２水平支持部材、５５，５７…可動部、５６…固定部材。
【図１】
2008185760.tif 000003
【図２】
2008185760.tif 000004
【図３】
2008185760.tif 000005
【図４】
2008185760.tif 000006
【図５】
2008185760.tif 000007
【図６】
2008185760.tif 000008